(57)【要約】【課題】  デュアルディスプレイのＲＬＣＤパネルを提供する。また、単一の液晶層を備えるＲＬＣＤパネルを提供する。【解決手段】  デュアルディスプレイの反射型液晶ディスプレイパネルは、各々が第一及び第二表示領域１０１，１０２を含む複数の画素と、互いに対向した第一基板１１０及び第二基板１２０とを含む。第一基板は、画素駆動装置を含む。パネルは、第一表示領域の第一基板の上に形成された第一反射層１５０と、第二表示領域の第二基板の上に形成された第二反射層１９０と、第一基板と第二基板の間に置かれた液晶層１９５をと含む。【選択図】      図１Ｂ
2005148740.tif 000002
【特許請求の範囲】
【請求項１】
各々が第一及び第二表示領域を含む複数の画素を含むパネルであって、
互いに対向した第一基板及び第二基板であって、第一基板が画素駆動装置を含む、第一基板及び第二基板と、
前記第一表示領域において前記第一基板の上に形成された第一反射層と、
前記第二表示領域において前記第二基板の上に形成された第二反射層と、
前記第一基板と前記第二基板の間に配置された液晶層をと含む、デュアルディスプレイの反射型液晶ディスプレイパネル。
【請求項２】
前記第一反射層と前記第二反射層との間に重複部分を更に含む、請求項１に記載の反射型液晶ディスプレイパネル。
【請求項３】
前記重複部分の幅は、２μｍ以上である、請求項２に記載の反射型液晶ディスプレイパネル。
【請求項４】
前記第一基板の上に形成された画素駆動装置に電気的に接続された画素電極と、
前記第二基板の上に形成されたカラーフィルターとを更に含む、請求項１に記載の反射型液晶ディスプレイパネル。
【請求項５】
各々が第一及び第二表示領域を含む複数の画素を含むパネルであって、
互いに対向した第一基板及び第二基板と、
前記第一基板の上に形成された第一透明電極と、
前記第一表示領域において前記第一基板の上に形成された第一反射層と、
前記第二基板の上に形成された第二透明電極と、
前記第二表示領域において前記第二透明電極に形成された第二反射層と、
前記第一基板と前記第二基板の間に配置された液晶層とを含む、デュアルディスプレイの液晶ディスプレイパネル。
【請求項６】
前記第一基板の外部に配置された第一光源を更に含む、請求項５に記載の液晶ディスプレイパネル。
【請求項７】
前記第二基板の外部に配置された第二光源を更に含む、請求項５に記載の液晶ディスプレイパネル。
【請求項８】
前記第一基板は、前記第一透明基板に電気的に接続された薄膜トランジスタを含む第一ガラス基板である、請求項５に記載の液晶ディスプレイパネル。
【請求項９】
前記第二基板は、その内側にカラーフィルターを含む第二ガラス基板である、請求項５に記載の液晶ディスプレイパネル。
【請求項１０】
前記カラーフィルターは、ブラックマトリクス領域を含む、請求項９に記載の液晶ディスプレイパネル。
【請求項１１】
前記カラーフィルターは、前記第二基板と反射層の間に配置される、請求項９に記載の液晶ディスプレイパネル。
【請求項１２】
前記第二透明電極の一部の上に形成された遮光部を更に含み、前記遮光部と前記第二反射層は、同時に形成される、請求項５に記載の液晶ディスプレイパネル。
【請求項１３】
前記第一及び第二透明電極は、インジウムスズ酸化物（ＩＴＯ）、または酸化インジウム亜鉛（ＩＺＯ）層からなる、請求項５に記載の液晶ディスプレイパネル。
【請求項１４】
前記第一及び第二反射層の少なくとも一方は、アルミニウム、銀、またはアルミナ（ＡｌxＯy）とアルミニウムを含む多層材料からなる、請求項５に記載の液晶ディスプレイパネル。
【請求項１５】
前記第一反射層と前記第二反射層の間に重複部分を更に含む、請求項５に記載の液晶ディスプレイパネル。
【請求項１６】
前記重複部分の幅は、２μｍ以上である、請求項１５に記載の液晶ディスプレイパネル。
【請求項１７】
各々が第一及び第二表示領域を含む複数の画素を含むパネルであって、
互いに対向した第一基板及び第二基板と、
前記第一基板の上に形成された第一透明電極と、
前記第一表示領域において前記第一基板の上に形成された第一反射層と、
前記第二表示領域において前記第二透明電極に形成された第二反射層と、
前記第二基板と前記第二反射層の上に形成されたカラーフィルターと、
前記カラーフィルターの上に形成された第二透明電極と、
前記第一基板と前記第二基板の間に配置された液晶層とを含む、液晶ディスプレイパネル。
【請求項１８】
前記第一基板の外部に配置された第一光源を更に含む、請求項１７に記載の液晶ディスプレイパネル。
【請求項１９】
前記第二基板の外部に配置された第二光源を更に含む、請求項１７に記載の液晶ディスプレイパネル。
【請求項２０】
前記第一基板は、前記第一透明基板に電気的に接続された薄膜トランジスタを含む第一ガラス基板である、請求項１７に記載の液晶ディスプレイパネル。
【請求項２１】
前記カラーフィルターは、ブラックマトリクス領域を含む、請求項１７に記載の液晶ディスプレイパネル。
【請求項２２】
前記第二基板の一部の上に形成された遮光部を更に含み、前記遮光部と前記第二反射層は、同時に形成される、請求項１７に記載の液晶ディスプレイパネル。
【請求項２３】
前記第一及び第二透明電極は、インジウムスズ酸化物（ＩＴＯ）、または酸化インジウム亜鉛（ＩＺＯ）層からなる、請求項１７に記載の液晶ディスプレイパネル。
【請求項２４】
前記第一及び第二反射層の少なくとも一方は、アルミニウム、銀、またはアルミナ（ＡｌxＯy）とアルミニウムを含む多層材料からなる、請求項１７に記載の液晶ディスプレイパネル。
【請求項２５】
前記第一反射層と前記第二反射層の間に重複部分を更に含む、請求項１７に記載の液晶ディスプレイパネル。
【請求項２６】
前記重複部分の幅は、２μｍ以上である、請求項２５に記載の液晶ディスプレイパネル。
【発明の詳細な説明】
【技術分野】
【０００１】
本発明は、反射型液晶ディスプレイ（ＲＬＣＤ）パネルに関し、特に、その前面パネルと背面パネルにデータを表示するデュアルディスプレイのＲＬＣＤパネルに関するものである。
【背景技術】
【０００２】
高解像度、多色表示、低電力消費、低電圧駆動及び軽量などにより、液晶ディスプレイが主要なディスプレイ装置技術となっている。ＬＣＤは、例えば、ＰＤＡ、ポータブルコンピュータ、携帯電話などのディスプレイとしてここ数年用いられている。
【０００３】
近年、折り畳み式携帯電話が製造技術で発展を遂げており、ユーザーはその折り畳み部（上部ケース）の前面パネルと背面パネルでのデータ表示を望んでおり、開発されている。従来の折り畳み式携帯電話では、２つの個別のＬＣＤを用い、その背面が互いに接触してデュアルディスプレイを実現した。
【特許文献１】米国特許第６３４２９３５号明細書
【特許文献２】米国特許第６７９１６４３号明細書
【発明の開示】
【発明が解決しようとする課題】
【０００４】
しかし、従来のディスプレイ装置が二つの個別のディスプレイを用いることから、ＬＣＤを駆動する二組の電子装置が必要となり、その結果、ディスプレイ装置はサイズと重量を増し、製造コストも増大した。
【０００５】
本発明は、デュアルディスプレイのＲＬＣＤパネルを提供する。また、本発明は、単一の液晶層を備えるＲＬＣＤパネルを提供する。
【課題を解決するための手段】
【０００６】
上記の目的を達成するため、本発明はデュアルディスプレイのＲＬＣＤパネルを提供する。パネルは、各々が第一及び第二表示領域を含む複数の画素を有し、互いに対向した第一基板と第二基板を含む。第一透明電極は、前記第一基板に形成される。第一反射層は、前記第一表示領域において前記第一基板の上に形成される。第二透明電極は、前記第二基板の内側の上に形成される。第二反射層は、前記第二表示領域において前記第二透明電極に形成される。液晶層は、前記第一基板と前記第二基板との間に配置される。
【０００７】
上記の目的を達成するため、本発明は、別のデュアルディスプレイのＲＬＣＤパネルを提供する。パネルは、各々が第一及び第二表示領域を含む複数の画素を有し、互いに対向した第一基板と第二基板を含む。第一透明電極は、前記第一基板に形成される。第一反射層は、前記第一表示領域において前記第一基板の上に形成される。第二反射層は、前記第二表示領域において前記第二基板の内側に形成される。カラーフィルターは、前記第二基板と前記第二反射層の上に形成される。第二透明電極は、前記カラーフィルターの上に形成される。液晶層は、前記第一基板と前記第二基板との間に配置される。
【０００８】
本発明は、デュアルディスプレイのＲＬＣＤパネルが第一表示領域において第一基板に形成された第一反射層と、第二表示領域において第二基板の上に形成された第二反射層を有することで、従来の技術を改良する。また、第一及び第二表示領域（或いは反射層）は、ディスプレイパネルの前面領域がその背面領域と同じになるように、各画素に形成される。
【発明の効果】
【０００９】
本発明に基づいた単一の液晶層を含むＲＬＣＤの構造は、その両面でデータを表示することができ、よって、コストと重量を削減し、従来技術の欠点を改善する。
【発明を実施するための最良の形態】
【００１０】
本発明についての目的、特徴、長所が一層明確に理解されるよう、以下に実施形態を例示し、図面を参照しながら、詳細に説明する。
（第一実施形態）
図１Ａは、本発明の第一実施形態に基づいたデュアルディスプレイＲＬＣＤパネルの一つの画素の上面図である。図１Ｂは、図１Ａの１Ｂ−１Ｂ線に沿ったデュアルディスプレイＲＬＣＤパネルの断面図である。図１Ａでは、デュアルディスプレイＲＬＣＤパネルは、アレイマトリクスに配列された複数の画素Ｐ（或いは表示領域）を含む。画素Ｐは、ゲートライン１０とデータライン２０によって形成される。多数の画素Ｐを有することができるが、説明を簡略化するために、図１Ａと図１Ｂは、一つの画素Ｐのパネル領域を示している。
【００１１】
図１Ａ及び図１Ｂにおいて、各画素Ｐは、第一表示領域１０１と第二表示領域１０２を有する。例えば、第一表示領域１０１の面積：第二表示領域の面積＝１：１〜１０：１が満たされるように、第一及び第二表示領域１０１，１０２を形成することができる。しかしながら、第一及び第二表示領域１０１，１０２の面積比は、上記以外の値であってもよい。また、第一表示領域１０１の一部が、第二表示領域１０２の一部と重複している。即ち、第一表示領域１０１と第二表示領域１０２の間に重複部分１０３がある。漏光を防ぐため、重複部分１０３の幅は、２μｍ以上が好ましい。ここでは、第一表示領域１０１は、メインの表示領域として機能することができ、第二表示領域１０２は、サブ表示領域として機能することができる。各画素Ｐの構造を、以下に説明する。
【００１２】
互いに対向した第一基板１１０と第二基板１２０が設けられている。第一基板１１０は、例えば、画素駆動装置を含む薄膜トランジスタ（ＴＦＴ）Ｔのガラス基板からなることができ、薄膜トランジスタは、例えば、ボトムゲート型のトランジスタとすることができる。符号１１４は、ゲート絶縁層を示す。符号１１６は、半導体アイランドを示す。符号Ｓは、ソース電極を示し、符号Ｄは、ドレイン電極を示す。第二基板１２０は、ガラス基板からなることができる。薄膜トランジスタＴを形成する詳細なプロセス（特許文献１参照）とその他の参照は、本発明の特徴を不明瞭にしないためにここでは説明しない。
【００１３】
薄膜トランジスタＴを覆う保護層１３０は、第一基板１１０の上に形成される。保護層１３０は、例えば、堆積またはコーティングによって形成された酸化層、または有機絶縁層からなることができる。
【００１４】
画素電極として機能する第一透明電極１４０は、保護層１３０の上に形成される。第一透明電極１４０は、穿孔１３５によって薄膜トランジスタＴに電気的に接続される。第一透明電極１４０は、例えば、スパッタリングによって形成されたインジウムスズ酸化物（ＩＴＯ）層または、酸化インジウム亜鉛（ＩＺＯ）層からなることができる。
【００１５】
第一反射層１５０は、第一表示領域１０１において第一透明電極１４０の上に形成される。眩光を防ぐために、第一反射層１５０の表面形状は、平坦でないのが好ましい。第一反射層１５０の材料は、アルミニウム、銀、またはアルミナ（ＡｌxＯy）とアルミニウムを含む多層材料とすることができる。多層材料は、防眩効果のある材料である。
【００１６】
第一配向膜１６０は、保護層１３０の上に形成され、第一透明電極１４０と第一反射層１５０を覆う。
カラーフィルター１７０は、第二基板１２０の内側に形成される。カラーフィルター１７０は、ブラックマトリクス（ＢＭ）領域１７２とカラー領域１７４（例えば、赤色、緑色、青色）を含む。
【００１７】
共通電極として機能する第二透明電極１８０は、カラーフィルター１７０の上に形成される。第二透明電極１８０は、例えば、スパッタリングによって形成されたインジウムスズ酸化物（ＩＴＯ）層または、酸化インジウム亜鉛（ＩＺＯ）層からなることができる。
【００１８】
第二反射層１９０は、第二表示領域１０２において第二透明電極１８０の上に形成される。眩光を防ぐために第二反射層１９０の表面形状は、平坦でないのが好ましい。第二反射層１９０の材料は、アルミニウム、銀、またはアルミナ（ＡｌxＯy）とアルミニウムを含む多層材料とすることができる。多層材料は、防眩効果のある材料である。なお、第一反射層１５０と第二反射層１９０の間には重複部分１０３がある。重複部分１０３の幅は、２μｍ以上が好ましい。また、第一及び第二表示領域１０１，１０２のディスプレイ輝度は、第一及び第二反射層１５０，１９０の面積によって決まる。例えば、第一反射層１５０の面積が第二反射層１９０の面積より二〜三倍大きい場合、第一表示領域１０１のディスプレイ輝度は、第二表示領域１０２のディスプレイ輝度よりも高い。また、第一反射層１５０の面積が第二反射層１９０の面積と同じ場合、第一及び第二表示領域１０１，１０２のディスプレイ輝度は、ほぼ等しくなる。
【００１９】
第二反射層１９０を覆う第二配向膜１６５は、第二透明電極１８０の上に形成される。そして、液晶材料が第一基板１１０と第二基板１２０の間隙を充填し、液晶層１９５を形成する。
【００２０】
図１Ｂでは、第一光源１９８が第一基板１１０の外側に配置されている。第一光源１９８は、発光ダイオードと導光板を含む発光モジュールとすることができる。第一光源１９８がオン状態にある時、第一光源１９８は、第二表示領域１０２のＲＬＣＤパネルのフロントライトとして機能する。第一光源１９８がオフ状態にある時、環境光は、第二表示領域１０２のＲＬＣＤパネルの反射光源として機能する。
【００２１】
また、第二光源１９９を第二基板１２０の外側に配置することができる。第二光源１９９は、発光ダイオードと導光板を含む発光モジュールとすることができる。第二光源１９９がオン状態にある時、第二光源１９９は、第一表示領域１０１のＲＬＣＤパネルのフロントライトとして機能する。第二光源１９９がオフ状態にある時、環境光は、第一表示領域１０１のＲＬＣＤパネルの反射光源として機能する。
【００２２】
図１Ｂは、第一実施形態のＲＬＣＤの作用を示す断面図である。画素Ｐの第一表示領域１０１では、第二光源１９９、または環境光からの反射光３０は、第一反射層１５０で反射し、第二基板１２０の外側（即ち、第一表示領域１０１の観察者）に向かって画像を表示する。画素Ｐの第二表示領域１０２では、第一光源１９８、または環境光からの反射光４０は、第二反射層１９０で反射し、第一基板１１０の外側（即ち、第二表示領域１０２のもう一人の観察者）に向かって画像を表示する。
【００２３】
なお、光３０がカラーフィルター１７０を透過するので、第一表示領域１０１は、カラーの画像を表示することができる。光４０がカラーフィルター１７０を透過しないので、第二表示領域１０２は、単色の画像を表示する。
【００２４】
図２は、第一実施形態の変形例に基づいたデュアルディスプレイＲＬＣＤの断面図である。変形例では、ブラックマトリクス領域１７２ではなく遮光部１９１が形成され、カラーフィルター１７０’が漏光するのを防ぐ。
【００２５】
遮光部１９１と第二反射層１９０を、同時に第二透明電極１８０の一部の上に形成することができる。即ち、遮光部１９１と第二反射層１９０を、同一の材料を用いて、同一の堆積及びフォトリソグラフィ工程で形成することができる。よって、変形例では、プロセスを追加することなく、カラーフィルター１７０にブラックマトリクス領域１７２を形成し、コストを削減する。
【００２６】
（第二実施形態）
図３は、本発明の第二実施形態に基づいたデュアルディスプレイＲＬＣＤの断面図である。上記と同様に、第二実施形態のデュアルディスプレイＲＬＣＤは、複数の画素Ｐ（または表示領域）を含む。説明を簡略化するために、図３は、一つの画素領域のパネル部分を示す。第二実施形態では、第一実施形態と同じ構成要素については同じ参照番号を用いる。
【００２７】
図３では、各画素は、第一表示領域１０１と第二表示領域１０２を有する。重複部分１０３は、第一表示領域１０１と第二表示領域１０２の間にある。漏光を防ぐため、重複部分１０３の幅は、２μｍ以上が好ましい。ここでは、第一表示領域１０１は、メインの表示領域として機能することができ、第二表示領域１０２は、サブ表示領域として機能することができる。各画素領域の構造を、以下に説明する。
【００２８】
互いに対向した第一基板１１０と第二基板１２０が設けられている。第一基板１１０は、例えば、画素駆動装置を含む薄膜トランジスタ（ＴＦＴ）Ｔのガラス基板からなることができ、薄膜トランジスタは、例えば、ボトムゲート型のトランジスタとすることができる。
【００２９】
薄膜トランジスタＴを覆う保護層１３０は、第一基板１１０の上に形成される。保護層１３０は、酸化層、または有機絶縁層からなることができる。
画素電極として機能する第一透明電極１４０は、保護層１３０の上に形成される。第一透明電極１４０は、穿孔１３５によって薄膜トランジスタＴに電気的に接続される。第一透明電極１４０は、インジウムスズ酸化物（ＩＴＯ）層または、酸化インジウム亜鉛（ＩＺＯ）層からなることができる。
【００３０】
第一反射層１５０は、第一表示領域１０１において第一透明電極１４０の上に形成される。眩光を防ぐために、第一反射層１５０の表面形状は、平坦でないのが好ましい。第一反射層１５０の材料は、アルミニウム、銀、またはアルミナ（ＡｌxＯy）とアルミニウムを含む多層材料とすることができる。眩光を防ぐために、第一反射層１５０の材料は、アルミナ（ＡｌxＯy）とアルミニウム（Ａｌ）を含む多層材料が好ましい。
【００３１】
第一配向膜１６０は、保護層１３０の上に形成され、第一透明電極１４０と第一反射層１５０を覆う。
第二反射層３９０は、第二表示領域１０２において第二基板１２０の内側に形成される。眩光を防ぐために、第二反射層３９０の表面形状は、平坦でないのが好ましい。第二反射層３９０の材料は、アルミニウム、銀、またはアルミナ（ＡｌxＯy）とアルミニウムを含む多層材料とすることができる。眩光を防ぐために、第二反射層３９０の材料は、アルミナ（ＡｌxＯy）とアルミニウム（Ａｌ）を含む多層材料が好ましい。なお、第一反射層１５０と第二反射層３９０の間には重複部分１０３がある。
【００３２】
カラーフィルター３７０は、第二基板１２０と第二反射層３９０の上に形成される。カラーフィルター３７０は、ブラックマトリクス領域３７２とカラー領域３７４（例えば、赤色、緑色、青色）を含む。
【００３３】
共通電極として機能する第二透明電極３８０は、カラーフィルター３７０の上に形成される。第二透明電極３８０は、インジウムスズ酸化物（ＩＴＯ）層または、酸化インジウム亜鉛（ＩＺＯ）層からなることができる。
【００３４】
第二配向膜３６５は、第二透明電極３８０の上に形成される。そして、液晶材料が第一基板１１０と第二基板１２０の間隙を充填し、液晶層１９５を形成する。
図３では、例えば、発光ダイオードと導光板を含む発光モジュールの第一光源１９８が第一基板１１０の外側に配置されている。第一光源１９８がオン状態にある時、第一光源１９８は、第二表示領域１０２のＲＬＣＤパネルのフロントライトとして機能する。第一光源１９８がオフ状態にある時、環境光は、第二表示領域１０２のＲＬＣＤパネルの反射光源として機能する。
【００３５】
また、例えば、発光ダイオードと導光板を含む発光モジュールの第二光源１９９を第二基板１２０の外側に配置することができる。第二光源１９９がオン状態にある時、第二光源１９９は、第一表示領域１０１のＲＬＣＤパネルのフロントライトとして機能する。第二光源１９９がオフ状態にある時、環境光は、第一表示領域１０１のＲＬＣＤパネルの反射光源として機能する。
【００３６】
図３は、第二実施形態のＲＬＣＤの作用を示す断面図である。各画素の第一表示領域１０１では、第二光源１９９、または環境光からの反射光３０は、第一反射層１５０で反射し、第二基板１２０の外側（即ち、第一表示領域１０１の観察者）に向かって画像を表示する。各画素の第二表示領域１０２では、第一光源１９８、または環境光からの反射光５０は、第二反射層３９０で反射し、第一基板１１０の外側（即ち、第二表示領域１０２のもう一人の観察者）に向かって画像を表示する。
【００３７】
なお、光３０がカラーフィルター３７０を透過するので、第一表示領域１０１は、カラーの画像を表示することができる。光５０がカラーフィルター３７０を透過するので、第二表示領域１０２もまた、カラーの画像を表示することができる。
【００３８】
図４は、第二実施形態の変形例に基づいたデュアルディスプレイＲＬＣＤの断面図である。変形例では、ブラックマトリクス領域３７２ではなく遮光３９１が形成され、カラーフィルター３７０’が漏光するのを防ぐ。
【００３９】
遮光３９１と第二反射層３９０を、同時に第二基板１２０の一部の上に形成することができる。即ち、遮光３９１と第二反射層３９０を、同一の材料を用いて、同一の堆積とフォトリソグラフィ工程で形成することができる。よって、変形例は、プロセスを追加することなく、カラーフィルター３７０にブラックマトリクス領域３７２を形成し、コストを削減する。
【００４０】
図５は、本デュアルディスプレイＲＬＣＤを有する折り畳み式携帯電話５１０における本発明の典型的な応用例を示している。符号５０１は、複数の第一表示領域１０１を含むメイン表示領域を示し、メイン表示領域５０１は、通常、折り畳み式携帯電話５１０の内側に配置される。符号５０２は、複数の第二表示領域１０２を含むサブ表示領域を示し、サブ表示領域５０２は、通常、折り畳み式携帯電話５１０の外側に配置される。メイン表示領域５０１の面積は、サブ表示領域５０２と同じとすることができる。デザインによっては、サブ表示領域５０２の一部は、図５に示すように、外枠５２０で覆われ、表示領域を小さく（または調整）することができる。
【００４１】
メッセージの表示方向を制御するために、本発明では、スイッチ（図示せず）を用いて折り畳み式携帯電話５１０の外枠５２０が開いているか、閉まっているかを検出する。例えば、外枠５２０が閉まっている時、メイン表示領域５０１の表示方向を、反転処理機（ｒｅｖｅｒｓｅ  ｐｒｏｃｅｓｓｏｒ）５３０によって反転して、所望のサブ表示領域５０２の表示方向を提供する。
【００４２】
よって、本発明は、一つの液晶層と、第一表示領域の第一基板の上に形成された第一反射層と、第二表示領域の第二基板の上に形成された第二反射層とを備えるデュアルディスプレイＲＬＣＤパネルを提供する。また、第一及び第二表示領域（或いは反射層）は、ディスプレイパネルの前面領域がその背面領域と同じになるように、各画素に形成される。本発明のディスプレイ構造は、一組のみの電子装置を備える一つのディスプレイを用いてＲＬＣＤを駆動することで、コストと体積を減少させ、従来技術の欠点を改善する。
【００４３】
以上、本発明の好適な実施形態を例示したが、これは本発明を限定するものではなく、本発明の技術思想及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００４４】
【図１Ａ】本発明の第一実施形態に基づいたデュアルディスプレイＲＬＣＤの一つの画素の上面図である。
【図１Ｂ】図１Ａの１Ｂ−１Ｂ線に沿ったデュアルディスプレイＲＬＣＤの断面図である。
【図２】第一実施形態の変形例に基づいたデュアルディスプレイＲＬＣＤの断面図である。
【図３】本発明の第二実施形態に基づいたデュアルディスプレイＲＬＣＤの断面図である。
【図４】第二実施形態の変形例に基づいたデュアルディスプレイＲＬＣＤの断面図である。
【図５】デュアルディスプレイＲＬＣＤを有する折り畳み式携帯電話における本発明の典型的な応用例を示す概略図である。
【符号の説明】
【００４５】
Ｐ  画素
Ｔ  薄膜トランジスタ
１０  ゲートライン
２０  データライン
１０１  第一表示領域
１０２  第二表示領域
１０３  重複部分
１１０  第一基板
１１２  ゲート
１１４  ゲート絶縁層
１１６  半導体アイランド
Ｓ  ソース
Ｄ  ドレイン
１２０  第二基板
１３０  保護層
１３５  穿孔
１４０  第一透明電極
１５０  第一反射層
１６０  第一配向膜
１６５、３６５  第二配向膜
１７０、１７０’、３７０、３７０’ カラーフィルター
１７２、３７２  ブラックマトリクス領域
１７４、３７４  カラー領域
１８０、３８０  第二透明電極
１９０、３９０  第二反射層
１９１、３９１  遮光部
１９５  液晶層
１９８、１９９  発光装置、
３０、４０、５０  光線
５０１  メイン表示領域
５０２  サブ表示領域
５１０  折り畳み式携帯電話
５２０  外枠
５３０  反転処理機（ｒｅｖｅｒｓｅ  ｐｒｏｃｅｓｓｏｒ）
【図１Ａ】
2005148740.tif 000003
【図１Ｂ】
2005148740.tif 000004
【図２】
2005148740.tif 000005
【図３】
2005148740.tif 000006
【図４】
2005148740.tif 000007
【図５】
2005148740.tif 000008